(57)【要約】  再生音量が小さい場合でも再生音の音質を改善することが可能な音声信号生成装置を提供する。  音声信号生成装置（１０）では、入力された音声信号（Ｘ（ｔ））から、その立ち上がりを示す立ち上がり信号（Ｅｄｇｅ（ｔ））が生成される。そして、入力された音声信号（Ｘ’（ｔ））と立ち上がり信号（Ｅｄｇｅ（ｔ））とが、再生音量（Ｖｏｌ）に応じて合成される（１９，１４）。好適には、再生音量（Ｖｏｌ）が小さいほど、立ち上がり信号（Ｅｄｇｅ（ｔ））を音声信号（Ｘ’（ｔ））に合成する合成量を大きくする。
2017056216.tif 000002
【特許請求の範囲】
【請求項１】
音声信号を入力する入力手段と、  前記音声信号の立ち上がりを示す立ち上がり信号を生成する立ち上がり信号生成手段と、  前記入力手段で入力された音声信号と前記立ち上がり信号とを、再生音量に応じて合成する合成手段と、  を有することを特徴とする音声信号生成装置。
【請求項２】
前記立ち上がり信号は、前記入力手段で入力された音声信号と、当該音声信号を低域通過フィルタで処理した信号とに基づいて生成されることを特徴とする請求項１に記載の音声信号生成装置。
【請求項３】
前記立ち上がり信号は、前記入力手段で入力された音声信号と、当該音声信号を高域通過フィルタで処理した信号とに基づいて生成されることを特徴とする請求項１に記載の音声信号生成装置。
【請求項４】
前記立ち上がり信号の大きさが閾値未満である場合、前記合成手段は、前記立ち上がり信号の大きさに応じて、前記音声信号への前記立ち上がり信号の合成量を変化させることを特徴とする請求項１乃至３のいずれか一項に記載の音声信号生成装置。
【請求項５】
前記立ち上がり信号の大きさが閾値未満である場合、前記合成手段は、前記立ち上がり信号が小さくなるにつれて、前記音声信号への前記立ち上がり信号の合成量を小さくすることを特徴とする請求項４に記載の音声信号生成装置。
【請求項６】
前記入力手段により入力された音声信号の大きさを検出する検出手段を更に備え、  前記合成手段は、前記検出された音声信号の大きさに応じて、前記閾値の値を変更することを特徴とする請求項４又は５に記載の音声信号生成装置。
【請求項７】
前記合成手段は、前記検出手段で検出された音声信号の大きさが小さくなるにつれて、前記閾値を小さくすることを特徴とする請求項６に記載の音声信号生成装置。
【請求項８】
音声信号生成装置により実行される音声信号生成方法であって、  音声信号を入力する入力工程と、  前記音声信号の立ち上がりを示す立ち上がり信号を生成する立ち上がり信号生成工程と、  前記入力手段で入力された音声信号と前記立ち上がり信号とを、再生音量に応じて合成する合成工程と、  を有することを特徴とする音声信号生成方法。
【請求項９】
コンピュータを備える音声信号生成装置により実行されるプログラムであって、  音声信号を入力する入力手段、  前記音声信号の立ち上がりを示す立ち上がり信号を生成する立ち上がり信号生成手段、  前記入力手段で入力された音声信号と前記立ち上がり信号とを、再生音量に応じて合成する合成手段、  として前記コンピュータを機能させることを特徴とするプログラム。
【請求項１０】
請求項９に記載のプログラムを記録したことを特徴とする記録媒体。
【発明の詳細な説明】
【技術分野】
【０００１】  本発明は、音声信号を高音質で再生する技術に関する。
【背景技術】
【０００２】  音声信号を再生する際、大音量で再生すると輪郭がはっきりとした良い音に聞こえるが、小音量で再生すると輪郭がぼやけ、粒立ち感（メリハリ）が低下してしまうことがある。これを改善するため、小音量時の音質補正機能として、いわゆるラウドネス（ＬＯＵＤＮＥＳＳ）機能が知られている（例えば、特許文献１を参照）。しかし、ラウドネス機能は再生音量に応じて定常的に特定周波数帯域の振幅を補正する技術であるため、特に音声信号の立ち上がりに着目して補正を行うものではない。【０００３】  一方、特許文献２は、１又は数サンプル前のデータとの差分を算出し、差分が大きいほど大きく値を増大させることで、音のアタック（立ち上がり）を補正する手法を記載している。これにより、特許文献２は、立ち上がりに対する応答性の高くないスピーカでも立ち上がりの劣化を抑制している。
【先行技術文献】
【特許文献】
【０００４】
【特許文献１】特開２００６−１７４０８４号公報
【特許文献２】特開２０１０−２１９８３６号公報
【発明の概要】
【発明が解決しようとする課題】
【０００５】  しかし、特許文献２では、音声信号の再生音量によらずに一定の強調を行っている。このため、再生音量が小さいときに補正が不十分となったり、再生音量が大きいときに必要以上に補正がなされてしまうことがある。【０００６】  本発明が解決しようとする課題としては、上記のものが例として挙げられる。本発明は、再生音量が小さい場合でも再生音の音質を改善することが可能な音声信号生成手法を提供することを目的とする。
【課題を解決するための手段】
【０００７】  請求項１に記載の発明は、音声信号生成装置であって、音声信号を入力する入力手段と、前記音声信号の立ち上がりを示す立ち上がり信号を生成する立ち上がり信号生成手段と、前記入力手段で入力された音声信号と前記立ち上がり信号とを、再生音量に応じて合成する合成手段と、を有することを特徴とする。【０００８】  請求項７に記載の発明は、音声信号生成装置により実行される音声信号生成方法であって、音声信号を入力する入力工程と、前記音声信号の立ち上がりを示す立ち上がり信号を生成する立ち上がり信号生成工程と、前記入力手段で入力された音声信号と前記立ち上がり信号とを、再生音量に応じて合成する合成工程と、を有することを特徴とする。【０００９】  請求項８に記載の発明は、コンピュータを備える音声信号生成装置により実行されるプログラムであって、音声信号を入力する入力手段、前記音声信号の立ち上がりを示す立ち上がり信号を生成する立ち上がり信号生成手段、前記入力手段で入力された音声信号と前記立ち上がり信号とを、再生音量に応じて合成する合成手段、として前記コンピュータを機能させることを特徴とする。
【図面の簡単な説明】
【００１０】
【図１】音声信号を再生した際の聴感上の印象を模式的に示す。
【図２】第１実施例に係る音声信号生成装置の構成を示す。
【図３】立ち上がり信号の合成比率、及び、歪低減処理の効果を示す。
【図４】立ち上がり強調処理の効果を説明するための図である。
【図５】第１実施例による立ち上がり強調処理のフローチャートである。
【図６】第２実施例に係る音声信号生成装置の構成を示す。
【図７】第２実施例による効果を説明する図である。
【図８】第２実施例による立ち上がり強調処理のフローチャートである。
【発明を実施するための形態】
【００１１】  本発明の好適な実施形態では、音声信号生成装置は、音声信号を入力する入力手段と、前記音声信号の立ち上がりを示す立ち上がり信号を生成する立ち上がり信号生成手段と、前記入力手段で入力された音声信号と前記立ち上がり信号とを、再生音量に応じて合成する合成手段と、を有する。
【００１２】  上記の音声信号生成装置では、入力された音声信号から、その立ち上がりを示す立ち上がり信号が生成される。そして、入力された音声信号と立ち上がり信号とが、再生音量に応じて合成される。これにより、再生音量に応じて適切な比率で立ち上がり信号が音声信号に合成されるため、再生音量に拘わらず再生音の音質を改善することができる。
【００１３】  上記の音声信号生成装置の一態様では、前記立ち上がり信号は、前記入力手段で入力された音声信号と、当該音声信号を低域通過フィルタで処理した信号とに基づいて生成される。この態様では、音声信号と、その音声信号を低域通過フィルタにより処理した信号とにより立ち上がり信号を生成する。
【００１４】  上記の音声信号生成装置の他の一態様では、前記立ち上がり信号は、前記入力手段で入力された音声信号と、当該音声信号を高域通過フィルタで処理した信号とに基づいて生成される。この態様では、音声信号と、その音声信号を高域通過フィルタにより処理した信号とにより立ち上がり信号を生成する。
【００１５】  上記の音声信号生成装置の他の一態様では、前記立ち上がり信号の大きさが閾値未満である場合、前記合成手段は、前記立ち上がり信号の大きさに応じて、前記音声信号への前記立ち上がり信号の合成量を変化させる。この態様では、立ち上がり信号の大きさが閾値未満である場合でも、立ち上がり信号が音声信号に合成される。好適には、前記立ち上がり信号の大きさが閾値未満である場合、前記合成手段は、前記立ち上がり信号が小さくなるにつれて、前記音声信号への前記立ち上がり信号の合成量を小さくする。
【００１６】  上記の音声信号生成装置の他の一態様は、前記入力手段により入力された音声信号の大きさを検出する検出手段を更に備え、前記合成手段は、前記検出された音声信号の大きさに応じて、前記閾値の値を変更する。この態様では、入力された音声信号の大きさに応じて閾値の値が変更されるので、入力された音声信号の元々のレベルに拘わらず、立ち上がり信号を正しく生成することができる。好適には、前記合成手段は、前記検出手段で検出された音声信号の大きさが小さくなるにつれて、前記閾値を小さくする。
【００１７】  本発明の他の好適な実施形態では、音声信号生成装置により実行される音声信号生成方法は、音声信号を入力する入力工程と、前記音声信号の立ち上がりを示す立ち上がり信号を生成する立ち上がり信号生成工程と、前記入力手段で入力された音声信号と前記立ち上がり信号とを、再生音量に応じて合成する合成工程と、を有する。この方法によっても、再生音量に応じて適切な比率で立ち上がり信号が音声信号に合成されるため、再生音量に拘わらず再生音の音質を改善することができる。
【００１８】  本発明の他の好適な実施形態では、コンピュータを備える音声信号生成装置により実行されるプログラムは、音声信号を入力する入力手段、前記音声信号の立ち上がりを示す立ち上がり信号を生成する立ち上がり信号生成手段、前記入力手段で入力された音声信号と前記立ち上がり信号とを、再生音量に応じて合成する合成手段、として前記コンピュータを機能させる。このプログラムをコンピュータで実行することにより、上述の音声信号生成装置を実現することができる。このプログラムは、記録媒体に記録して取り扱うことができる。
【実施例】
【００１９】  以下、図面を参照して本発明の好適な実施例について説明する。【００２０】  ［基本概念］  音声信号を再生する際、再生音量が小さいと、再生音の輪郭やメリハリが失われる傾向がある。図１は、音声信号を再生した際の聴感上の印象を模式的に示す。図１（Ａ）は、音声信号の再生音の電気特性（波形）を示す。波形Ｃ１は、矩形の波形を有する音声信号を大音量で再生した場合の再生音の電気特性を示し、波形Ｃ２は、矩形の波形を有する音声信号を小音量で再生した場合の再生音の電気特性を示す。【００２１】  図１（Ｂ）は、このように矩形の波形を有する音声信号、即ち、立ち上がりや立ち下がりを有する再生音を大音量と小音量とで再生した場合のユーザによる聴感印象イメージを示す。再生音が大音量の場合は、波形Ｃ３に示すように、ユーザによる聴覚上の印象も音の輪郭、即ち、立ち上がりや立ち下がりを明確に感じることができる。一方、再生音が小音量の場合には、波形Ｃ４に示すように、ユーザの聴感上の印象では再生音の立ち上がりや立ち下がりがなまったように感じられる。これにより、聴覚上、再生音の輪郭やメリハリが低下する。そこで、以下の実施例では、波形Ｃ５に示すように、再生音の立ち上がりを強調する処理（以下、「立ち上がり強調処理」とも呼ぶ。）を行うことで、再生音が小音量の場合でも、大音量の場合と同様にメリハリの利いた音質を得られるようにする。【００２２】  ［第１実施例］  図２は、第１実施例に係る音声信号生成装置の構成を示す。音声信号生成装置１０は、フィルタ１１と、ディレイ１２と、加算器１３〜１４と、スイッチ１５と、絶対値演算器１６と、増幅器１７〜１９と、を備える。絶対値演算器１６及び増幅器１７〜１８は、後述する歪低減ブロックＢＫを構成している。なお、以下の説明では、本実施例の立ち上がり強調処理の理解を容易にするため、入力信号Ｘ（ｔ）は波形Ｗ１のような矩形波であると仮定する。【００２３】  入力信号Ｘ（ｔ）は、フィルタ１１及びディレイ１２に供給される。フィルタ１１は、ハミング窓を用いたＦＩＲフィルタにより構成される低域通過フィルタであり、入力信号Ｘ（ｔ）の低域成分を抽出する。よって、フィルタ１１の出力は、入力信号Ｘ（ｔ）の立ち上がり及び立ち下がりがなまった波形Ｗ２を有する信号Ｂｌｕｒ（ｔ）となる。信号Ｂｌｕｒ（ｔ）は、加算器１３に供給される。【００２４】  一方、ディレイ１２は、フィルタ１１の処理により入力信号Ｘ（ｔ）に与えられる遅延量と同一の遅延量だけ入力信号Ｘ（ｔ）を遅延させた入力信号Ｘ’（ｔ）を生成し、加算器１３及び１４に供給する。即ち、ディレイ１２は、フィルタ１１により生成された信号Ｂｌｕｒ（ｔ）と入力信号Ｘ（ｔ）との時間軸を合わせるために設けられている。【００２５】  加算器１３は、入力信号Ｘ’（ｔ）から信号Ｂｌｕｒ（ｔ）を減算して信号Ｅｄｇｅ（ｔ）を生成し、スイッチ１５、絶対値演算器１６及び増幅器１８に供給する。入力信号Ｘ’（ｔ）から信号Ｂｌｕｒ（ｔ）を減算して得られる信号Ｅｄｇｅ（ｔ）は、波形Ｗ３に示すように、元の入力信号Ｘ（ｔ）の立ち上がり及び立ち下がりの位置にピークを有する信号となる。このように、信号Ｅｄｇｅ（ｔ）は、入力信号Ｘ（ｔ）の立ち上がりを示す信号であり、本発明の立ち上がり信号に相当する。また、加算器１３は本発明の立ち上がり信号生成手段に相当する。【００２６】  スイッチ１５は、入力端子Ｔ１及びＴ２を有する。スイッチ１５は、信号Ｅｄｇｅ（ｔ）の絶対値が所定の閾値ＴＨ以上である場合に入力端子Ｔ１を選択し、立ち上がり信号Ｅｄｇｅ（ｔ）の絶対値が閾値ＴＨ未満である場合に入力端子Ｔ２を選択する。なお、第１実施例では、閾値ＴＨは固定値に設定されている。【００２７】  さて、上記のように、信号Ｅｄｇｅ（ｔ）は入力信号Ｘ（ｔ）の立ち上がり及び立ち下がりを示す信号であるので、信号Ｅｄｇｅ（ｔ）の絶対値が閾値ＴＨ以上である場合、その位置を入力信号Ｘ（ｔ）の立ち上がりであると判定することができる。【００２８】  信号Ｅｄｇｅ（ｔ）の絶対値が閾値ＴＨ以上である場合、信号Ｅｄｇｅ（ｔ）はスイッチ１５を介して増幅器１９に供給される。増幅器１９は、再生音量Ｖｏｌに連動する可変増幅器である。増幅器１９は、再生音量Ｖｏｌに応じた増幅度ｅｆｆ１で信号Ｅｄｇｅ（ｔ）を増幅し、信号Ａｄｄ（ｔ）として加算器１４へ供給する。具体的には、増幅部１９は、再生音量Ｖｏｌが大きいときは増幅度ｅｆｆ１を小さくするとともに、再生音量が小さくなるほど増幅度ｅｆｆ１を大きくする。なお、再生音量Ｖｏｌは、入力信号Ｘ（ｔ）を再生する際の再生音量を示しており、典型的には図示しない入力部などを用いてユーザにより設定される。但し、例えばＡＬＣ（オートマティック・サウンド・レベライザー＝自動音量調整機能）等の機械的な音量制御を採用している装置においては、その音量制御により自動的に設定される。【００２９】  増幅部１９は、再生音量Ｖｏｌに応じた増幅度ｅｆｆ１で信号Ｅｄｇｅ（ｔ）を増幅するため、信号Ａｄｄ（ｔ）は、再生音量に応じて信号Ｅｄｇｅ（ｔ）の立ち上がり位置にあるピーク（波形Ｗ３参照）のレベル（以下、「ピークレベル」とも呼ぶ。）が調整された信号となる。即ち、再生音量が大きい場合には信号Ｅｄｇｅ（ｔ）のピークレベルはあまり大きくならず、再生音量が小さい場合には信号Ｅｄｇｅ（ｔ）のピークレベルが大きくなる。これにより、再生音量Ｖｏｌが小さい場合には、大きなピークレベルを有する信号Ａｄｄ（ｔ）が加算器１４へ供給される。【００３０】  加算器１４は、入力信号Ｘ’（ｔ）に信号Ａｄｄ（ｔ）を加算し、出力信号Ｙ（ｔ）として出力する。これにより、波形Ｗ４に示すように、出力信号Ｙ（ｔ）は入力信号Ｘ’（ｔ）のピークレベル、即ち、立ち上がり及び立ち下がりのレベルが増大された信号となる。ここで、上述のように、増幅器１９は再生音量Ｖｏｌが小さいほど大きな増幅度ｅｆｆ１で信号Ｅｄｇｅ（ｔ）を増幅するため、出力信号Ｙ（ｔ）は再生音量Ｖｏｌが小さいほど立ち上がり及び立ち下がりが強調された信号となる。この立ち上がり強調処理により、再生音量Ｖｏｌが小さいときでも、輪郭やメリハリを強調した音を再生することが可能となる。なお、加算器１４は本発明の合成手段に相当する。【００３１】  次に、歪低減ブロックＢＫについて説明する。上記のように、スイッチ１５の端子Ｔ１側の動作では、信号Ｅｄｇｅ（ｔ）の絶対値が閾値ＴＨ以上である場合は立ち上がり信号Ｅｄｇｅ（ｔ）が入力信号Ｘ’（ｔ）に合成されるが、信号Ｅｄｇｅ（ｔ）が閾値ＴＨ未満の場合には信号Ｅｄｇｅ（ｔ）は入力信号Ｘ’（ｔ）に加算されない。しかし、信号Ｅｄｇｅ（ｔ）が閾値ＴＨ未満の場合に信号Ｅｄｇｅ（ｔ）が全く入力信号Ｘ’（ｔ）に加算されないこととすると、信号Ｅｄｇｅ（ｔ）が閾値ＴＨを超えた場合と超えない場合の差異が大きくなり、信号の不連続性が大きくなるため、聴感上歪感（ざらつき、ノイズなど）が生じてしまう。そこで、スイッチ１５の端子Ｔ２側に歪低減ブロックＢＫを設けて歪低減処理を行うことにより、そのような歪感を低減する。【００３２】  歪低減ブロックＢＫにおいて、絶対値演算器１６は、信号Ｅｄｇｅ（ｔ）の絶対値を演算して増幅器１７へ供給する。増幅器１７は、絶対値演算器１６の出力を、閾値ＴＨに基づいて「１／ＴＨ」倍に増幅して増幅器１８へ供給する。増幅器１８は可変増幅器であり、増幅器１７からの信号を増幅度ｅｆｆ２で増幅して、スイッチ１５の端子Ｔ２へ出力する。ここで、絶対値演算器１６及び増幅器１７の構成により、増幅度ｅｆｆ２は以下の式で与えられることになる。【００３３】      ｅｆｆ２＝｜Ｅｄｇｅ（ｔ）｜／ＴＨ              （１）  図３（Ａ）は、加算器１４により信号Ｅｄｇｅ（ｔ）が入力信号Ｘ’（ｔ）に加算される割合（以下、「合成比率」と呼ぶ。）を示す。なお、図３（Ａ）において、横軸は信号Ｅｄｇｅ（ｔ）の絶対値を示し、縦軸は合成比率を示す。増幅度ｅｆｆ１は増幅器１９の増幅度であり、前述のように再生音量Ｖｏｌに応じて決定される。【００３４】  信号Ｅｄｇｅ（ｔ）の絶対値が閾値ＴＨ以上である場合、上述のように信号Ｅｄｇｅ（ｔ）は合成比率ｅｆｆ１で入力信号Ｘ’（ｔ）に加算される。一方、信号Ｅｄｇｅ（ｔ）の絶対値が閾値ＴＨ未満である場合、信号Ｅｄｇｅ（ｔ）は増幅器１８の増幅度ｅｆｆ２と増幅器１９の増幅率ｅｆｆ１の積（即ち、「ｅｆｆ２・ｅｆｆ１」）を合成比率として入力信号Ｘ’（ｔ）に加算される。ここで、信号Ｅｄｇｅ（ｔ）の絶対値が閾値ＴＨ未満である場合、上記の式（１）においてｅｆｆ２＜１となるので、信号Ｅｄｇｅ（ｔ）の合成比率「ｅｆｆ２・ｅｆｆ１」は、合成比率ｅｆｆ１より小さく、かつ、信号Ｅｄｇｅ（ｔ）の絶対値に比例した値となる。これにより、信号Ｅｄｇｅ（ｔ）の絶対値が閾値ＴＨ未満である場合でも、合成比率ｅｆｆ１より小さく、かつ、信号Ｅｄｇｅ（ｔ）の絶対値に比例した合成比率で信号Ｅｄｇｅ（ｔ）が入力信号Ｘ’（ｔ）に加算されることになる。このように、歪低減ブロックＢＫでは、信号Ｅｄｇｅ（ｔ）の絶対値が閾値ＴＨ未満の場合であっても、信号Ｅｄｇｅ（ｔ）の絶対値に応じた合成比率で信号Ｅｄｇｅ（ｔ）を入力信号Ｘ’（ｔ）に合成することにより歪を低減している。【００３５】  次に、歪低減ブロックＢＫの処理による効果について説明する。まず、歪低減ブロックＢＫによる歪低減処理を行わなかった場合と行った場合とで、再生音を視聴したところ、歪低減処理を行わなかった場合は再生音に歪が感じられたが、歪低減処理を行った場合は、歪は感じられず、入力信号の立ち上がりが適切に補正されていることが確認された。【００３６】  また、歪低減処理の効果を定量的に確認するために、入力信号として正弦波を用いて、全高調波歪（ＴＨＤ：Ｔｏｔａｌ  Ｈａｒｍｏｎｉｃ  Ｄｉｓｔｏｒｔｉｏｎ）を算出した結果を図３（Ｂ）に示す。図示のように、いずれの周波数でも、歪低減処理を行った場合の方が、行わない場合よりも全高調波歪の値が小さくなっていることが確認された。このように、歪低減処理により、再生音量が小さい場合でも、歪感なく適切に音質改善が可能であることが確認された。【００３７】  図４は、第１実施例の音声信号生成装置による立ち上がり強調処理の効果を説明するための図である。具体的に、図４は、ある信号に、既知のラウドネス処理を適用した場合と、第１実施例による立ち上がり強調処理を適用した場合の波形の例を示す。図４において、横軸は時間を示し、縦軸は信号のレベルを示す。また、図中のグレーのエリアは元信号を示し、実線は第１実施例による立ち上がり強調処理により強調された成分を示し、破線はラウドネス処理により強調された成分を示す。図から理解されるように、ラウドネス処理により強調された成分は信号全体にわたって存在するのに対し、第１実施例の立ち上がり強調処理により強調された成分は、符号Ｘで示すように、元信号の立ち上がり部分のみに発生している。これにより、第１実施例の立ち上がり強調処理では、入力信号の立ち上がり部分のみを適切に強調できていることが理解される。【００３８】  図５は、第１実施例における立ち上がり強調処理のフローチャートである。入力信号Ｘ（ｔ）が入力されると、フィルタ１１は入力信号Ｘ（ｔ）をフィルタリングし、信号Ｂｌｕｒ（ｔ）を生成する（ステップＳ１１）。次に、加算器１３は入力信号Ｘ’（ｔ）から信号Ｂｌｕｒ（ｔ）を減算することにより、立ち上がり成分を抽出して信号Ｅｄｇｅ（ｔ）を生成する（ステップＳ１２）。【００３９】  次に、信号Ｅｄｇｅ（ｔ）の絶対値が所定の閾値ＴＨ以上であるか否かが判定される（ステップＳ１３）。信号Ｅｄｇｅ（ｔ）の絶対値が閾値ＴＨ以上である場合（ステップＳ１３：Ｙｅｓ）、処理はステップＳ１５へ進む。一方、信号Ｅｄｇｅ（ｔ）の絶対値が閾値ＴＨ未満である場合（ステップＳ１３：Ｎｏ）、歪低減ブロックＢＫにおいて、信号Ｅｄｇｅ（ｔ）に増幅器１８の増幅度ｅｆｆ２が乗算されて信号Ｅｄｇｅ（ｔ）が再計算され、処理はステップＳ１５へ進む。【００４０】  ステップＳ１５では、増幅器１９の増幅度ｅｆｆ１が乗算された信号Ｅｄｇｅ（ｔ）が加算器１４により入力信号Ｘ’（ｔ）に合成され、出力信号Ｙ（ｔ）として出力される（ステップＳ１６）。こうして、入力信号Ｘ（ｔ）の再生音量に応じた合成比率で立ち上がり成分が入力信号Ｘ’（ｔ）に加算され、出力信号Ｙ（ｔ）として出力される。【００４１】  ［第２実施例］  第１実施例においては、スイッチ１５の切替えに使用する閾値ＴＨを固定値としていた。しかし、閾値ＴＨを固定値とすると、入力信号Ｘ（ｔ）の立ち上がりのレベル（振幅）が閾値ＴＨ未満の場合、正しく立ち上がりとして検出されなくなってしまう。即ち、入力信号Ｘ（ｔ）の元々のレベルが小さいと、立ち上がりの部分でもレベルが閾値ＴＨ未満となってしまい、入力信号Ｘ（ｔ）の立ち上がりを正しく検出すること��できなくなってしまう。そこで、第２実施例では、閾値ＴＨを入力信号Ｘ（ｔ）のレベルに応じて変化させることとした。なお、この点以外は、第２実施例は第１実施例と同様である。【００４２】  図６は、第２実施例に係る音声信号生成装置の構成を示す。第２実施例に係る音声信号生成装置１０ｘは、絶対値演算器２１と増幅器２２が追加されている点以外は、第１実施例に係る音声信号生成装置１０と同様の構成を有する。【００４３】  絶対値演算器２１には入力信号Ｘ（ｔ）が入力され、入力信号Ｘ（ｔ）の絶対値｜Ｘ（ｔ）｜が増幅器２２に出力される。なお、絶対値演算器２１は本発明の検出手段に相当する。【００４４】  増幅器２２には、固定値である閾値ＴＨが入力されている。増幅器２２は、絶対値演算器２１から供給される絶対値｜Ｘ（ｔ）｜に応じて閾値ＴＨを変化させる。具体的に、増幅器２２から出力される閾値ＴＨ２は、以下の式で与えられる。【００４５】      ＴＨ２＝ＴＨ×｜Ｘ（ｔ）｜                      （２）  即ち、入力信号Ｘ（ｔ）のレベルが大きいほど閾値ＴＨ２は大きくなり、入力信号Ｘ（ｔ）のレベルが小さいほど閾値ＴＨ２は小さくなる。この閾値ＴＨ２は、スイッチ１５の切替えの判定に使用される。【００４６】  このように、閾値ＴＨを入力信号Ｘ（ｔ）のレベルに比例して変化させることにより、入力信号Ｘ（ｔ）の録音レベルが小さいような場合でも、入力信号Ｘ（ｔ）の立ち上がりを適切に検出し、強調することが可能となる。【００４７】  図７は、第２実施例による効果を説明する図であり、入力信号波形の例を示している。図７（Ａ）、７（Ｂ）は、第１実施例のように閾値ＴＨを固定値とした場合を示し、図７（Ｃ）、７（Ｄ）は、第２実施例により閾値ＴＨ２を入力信号のレベルに比例させた場合を示す。なお、図７（Ａ）〜７（Ｄ）において、閾値ＴＨ及びＴＨ２を破線で示す。【００４８】  閾値ＴＨを固定値とした場合、図７（Ａ）の例のように入力信号のレベルが大きければ閾値ＴＨにより正しく立ち上がりが検出されるが、図７（Ｂ）の例のように入力信号のレベルが小さいと、立ち上がりのレベルが閾値ＴＨを超えず、立ち上がりを正しく検出することができなくなる。【００４９】  これに対し、第２実施例では、閾値ＴＨ２を入力信号のレベルに比例させるため、図７（Ｃ）の例のように入力信号のレベルが大きい場合のみならず、図７（Ｄ）の例のように入力信号レベルが小さい場合でも、それに応じて閾値ＴＨ２も小さくなるため、正しく立ち上がりを検出することができる。これにより、入力信号の録音レベルの影響を受けることなく、適切に立ち上がり強調処理を行うことが可能となる。【００５０】  図８は、第２実施例による立ち上がり強調処理のフローチャートである。第２実施例による立ち上がり強調処理は、ステップＳ１３ｘにおいて、立ち上がり信号Ｅｄｇｅ（ｔ）の絶対値との比較に、入力信号レベルに比例する閾値ＴＨ２を用いる点以外は、第１実施例と同様である。よって、これ以外の説明は省略する。【００５１】  ［変形例］  上記の実施例では、低域通過フィルタとして機能するフィルタ１１をＦＩＲフィルタとして構成しているが、その代わりに、フィルタ１１をＩＩＲフィルタで構成してもよい。【００���２】  また、上記の実施例では、低域通過フィルタであるフィルタ１１により入力信号Ｘ（ｔ）から低域成分を抽出して、入力信号Ｘ（ｔ）の波形をなまらせた信号Ｂｌｕｒ（ｔ）を生成している。その代わりに、フィルタ１１を高域通過フィルタとして構成し、入力信号Ｘ（ｔ）から高域成分を抽出することにより、入力信号Ｘ（ｔ）の波形をなまらせた信号Ｂｌｕｒ（ｔ）を生成することとしてもよい。
【符号の説明】
【００５３】  １０、１０ｘ  音声信号生成装置  １１  フィルタ  １２  ディレイ  １３、１４  加算器  １５  スイッチ  １６、２１  絶対値演算器  １７〜１９、２２  増幅器
【図１】
2017056216.tif 000003
【図２】
2017056216.tif 000004
【図３】
2017056216.tif 000005
【図４】
2017056216.tif 000006
【図５】
2017056216.tif 000007
【図６】
2017056216.tif 000008
【図７】
2017056216.tif 000009
【図８】
2017056216.tif 000010
【国際調査報告】
2017056216.tif 000011
2017056216.tif 000012
2017056216.tif 000013
2017056216.tif 000014